(57)【特許請求の範囲】
【請求項１】
容器本体の開口部を閉じるための扉体を開放可能に設けるとともに、前記扉体の閉塞状態を磁力により維持するように構成してなる扉体の開閉構造であって、前記扉体の閉塞状態を維持するための磁力を発生させるものとして、永久磁石と電磁石とを用い、扉体の閉塞操作状態において設定された閉塞近傍位置まで閉塞操作されたときに、前記電磁石をＯＮ状態にし、それよりも閉塞側の閉塞直前位置まで閉塞操作されたときに、該電磁石をＯＮ状態からＯＦＦ状態に切り替えるように構成したことを特徴とする扉体の開閉構造。
【請求項２】
前記扉体を内側板部と外側板部とそれら両者の外周縁同士を連結する側板部とから構成し、前記内側板部に棒状体をそれの先端部が前記容器本体側に突出した状態で取り付け、前記棒状体を突出状態に付勢するための付勢手段を設け、前記棒状体の基端部から延出した軸部を前記外側板部から外方に貫通突設し、この軸部の先端に把手を、前記外側板部表面とこれと対向位置する該把手の内側表面との間に指を挿入可能な隙間を開けた状態で取り付け、前記扉体の閉塞状態では、前記棒状体が容器本体との接当により該扉体内部に引退して前記電磁石への通電を遮断し、前記把手を持って扉体を開放操作する場合には、前記電磁石への通電を遮断した状態を維持し、前記扉体を開放状態にして前記把手から手を離すことにより前記棒状体を突出状態にして電磁石への通電を行い、前記扉体を開放状態から閉塞操作する場合には、前記把手から手を離した状態で該扉体を閉塞操作することを特徴とする請求項１記載の扉体の開閉構造。
【請求項３】
扉体が冷蔵庫の扉体からなり、この扉体に備えている内部照明用のランプを点灯及び消灯制御し、且つ、該扉体に出退自在に取り付けているスイッチを前記電磁石の作動状態を切り替えるための切替手段に兼用構成してなる請求項１記載の扉体の開閉構造。
【発明の詳細な説明】
【０００１】
【発明の属する技術分野】
本発明は、容器本体の開口部を閉じるための扉体を開放可能に設けるとともに、前記扉体の閉塞状態を磁力により維持するように構成してなる扉体の開閉構造に関するものである。
【０００２】
【従来の技術】
上記磁力により扉体を閉塞状態に維持するものには各種のものがあるが、ここでは、家庭用冷蔵庫を例に挙げて説明する。
一般的に、家庭用冷蔵庫は、例えば容器本体側、つまり庫内側に永久磁石の複数個を備えさせ、これら永久磁石の磁気吸引力により吸着できるように扉体を金属製のものから構成している。又、前記永久磁石の磁気吸引力を大きくするために、個数を多くしたり、容器本体側にＳ極の永久磁石の複数個を備えさせるとともに、これらＳ極の永久磁石に対して吸引作用するＮ極の永久磁石の複数個を該Ｓ極の永久磁石に対向位置させて扉体側に備えさせ、両者の磁気吸引力により扉体を強固に閉塞状態に維持するようにしている。
【０００３】
前記のように個数を増やしたり、Ｓ極の永久磁石に対して吸引作用するＮ極の永久磁石の複数個を備えさせることにより、磁気吸引力を増大させることができるものの、永久磁石であることから磁気吸引力を強力なものに構成することができないものであり、次に示す不都合が発生していた。
つまり、磁気吸引力を強力なものにできないと、扉体を開放操作するための操作力が小さくて済み、容易に扉体を開放操作することができるものの、閉塞操作した際に扉体が半ドア状態、つまり完全に閉まっていない状態が発生することがある。このような状態の発生を阻止するために、例えば電磁石等を用いて磁気吸引力を強力なものにすることが考えられるが、扉体を開放操作するための大きな操作力を必要とするものであった。しかも、電磁石等を用いて磁気吸引力を強力なものにすると、扉体を閉塞操作した場合に、強力な磁気吸引力により扉体が容器本体に勢いよく接当するため、特に扉体に備えさせている密閉度を上げるためのゴム製パッキンに大きな衝撃力を与えてしまうため、パッキンが早期に損傷してしまい、磁気吸引力をあまり大きくすることができない結果、前記半ドア状態を確実に阻止することができないものであった。
【０００４】
【発明が解決しようとする課題】
本発明が前述の状況に鑑み、解決しようとするところは、扉体を小さな操作力で開放操作することができながらも、半ドア状態を確実に阻止することができる扉体の開閉構造を提供する点にある。
【０００５】
【課題を解決するための手段】
本発明は、前述の課題解決のために、容器本体の開口部を閉じるための扉体を開放可能に設けるとともに、前記扉体の閉塞状態を磁力により維持するように構成してなる扉体の開閉構造であって、前記扉体の閉塞状態を維持するための磁力を発生させるものとして、永久磁石と電磁石とを用い、扉体の閉塞操作状態において設定された閉塞近傍位置まで閉塞操作されたときに、前記電磁石をＯＮ状態にし、それよりも閉塞側の閉塞直前位置まで閉塞操作されたときに、該電磁石をＯＮ状態からＯＦＦ状態に切り替えるように構成したことを特徴としている。
従って、扉体が閉塞近傍位置まで閉塞操作されたときに、電磁石がＯＮ状態になり、永久磁石による磁気吸引力に加えて、電磁石による強力な磁気吸引力を作用させることにより、扉体を大きな吸引力により閉塞側へ移動させることができるから、扉体を前記閉塞近傍位置よりも閉塞側の閉塞直前位置まで確実に移動させることができる。そして、前記閉塞直前位置まで閉塞操作されると、電磁石をＯＮ状態からＯＦＦ状態に切り替えることによって、永久磁石の小さな磁気吸引力のみで扉体を閉塞側へ移動させるのである。
【０００６】
前記扉体を内側板部と外側板部とそれら両者の外周縁同士を連結する側板部とから構成し、前記内側板部に棒状体をそれの先端部が前記容器本体側に突出した状態で取り付け、前記棒状体を突出状態に付勢するための付勢手段を設け、前記棒状体の基端部から延出した軸部を前記外側板部から外方に貫通突設し、この軸部の先端に把手を、前記外側板部表面とこれと対向位置する該把手の内側表面との間に指を挿入可能な隙間を開けた状態で取り付け、前記扉体の閉塞状態では、前記棒状体が容器本体との接当により該扉体内部に引退して前記電磁石への通電を遮断し、前記把手を持って扉体を開放操作する場合には、前記電磁石への通電を遮断した状態を維持し、前記扉体を開放状態にして前記把手から手を離すことにより前記棒状体を突出状態にして電磁石への通電を行い、前記扉体を開放状態から閉塞操作する場合には、前記把手から手を離した状態で該扉体を閉塞操作することを特徴としている。
扉体を開放操作する場合には、把手を持って扉体を開放操作することによって、電磁石への通電を遮断した状態を維持することができる。そして、開放状態にした扉体を閉塞状態にする場合には、把手から手を離し、扉体を閉塞操作することによって、電磁石をＯＮ状態にして、前記同様に永久磁石による磁気吸引力に加えて、電磁石による磁気吸引力を作用させることにより、扉体を大きな吸引力により閉塞側へ確実に移動させることができる。そして、棒状体が容器本体に接当することにより扉体内方側に引退し、電磁石をＯＮ状態からＯＦＦ状態に切り替え、永久磁石の磁気吸引力のみで扉体を閉塞側へ移動させるのである。
【０００７】
前記扉体が冷蔵庫の扉体からなり、この扉体に備えている内部照明用のランプを点灯及び消灯制御し、且つ、該扉体に出退自在に取り付けているスイッチを前記電磁石の作動状態を切り替えるための切替手段に兼用構成している。
つまり、扉体が閉塞状態では、スイッチの先端スイッチ部が容器本体との接当により扉体の内部に引退して、内部照明用のランプを消灯させ、電磁石をＯＦＦ状態にする。次に、扉体を開放状態に操作することにより、スイッチの先端スイッチ部が扉体の外方に突出して、内部照明用のランプを点灯させ、電磁石をＯＮ状態に切り替えるのである。開放状態になっている扉体を閉塞状態に操作する場合には、前記同様に永久磁石による磁気吸引力に加えて、電磁石による磁気吸引力を作用させることにより、扉体を大きな吸引力により閉塞側へ確実に移動させることができる。そして、スイッチの先端スイッチ部が容器本体に接当することにより扉体内方側に引退し、電磁石をＯＮ状態からＯＦＦ状態に切り替え、永久磁石の磁気吸引力のみで扉体を閉塞側へ移動させるのである。
【０００８】
【発明の実施の形態】
図１〜図３に、本発明の扉体の一例である冷蔵庫の扉体１を示している。この冷蔵庫の扉体１は、容器本体２に一側の上下軸芯周りで揺動開閉可能に取り付けている。本発明は、冷蔵庫の他、消火栓箱や各種収納箱等に備える扉体に適応することができる。
【０００９】
前記扉体１は、矩形状の外側板部４Ａと、この外側板部４Ａの４辺から後方に延出された４枚の側板部４Ｂ…とからなる後方開放型の箱形部材４と、この箱形部材４の開口部４Ａを閉じるための内側板部５とから構成している。そして、前記内側板部５の外周部表面に、ゴム製のパッキン３を貼り付けて、閉塞される扉体１が容器本体２に接当する際の衝撃力を緩和するようにしている。
【００１０】
前記扉体１は、それの閉塞状態（図１参照）を維持するために、図５に示すように、容器本体２内にＳ極又はＮ極の永久磁石６Ａの複数個と、強力な磁気吸引力を発生するＳ極又はＮ極の電磁石７Ａの複数個とを上下方向に交互に配置するとともに、扉体１の内側板部５内に前記永久磁石６Ａ及び電磁石７Ａに対向する位置にそれらとは異極、つまりＮ極又はＳ極の永久磁石６Ｂの複数個と、Ｎ極又はＳ極の電磁石７Ｂの複数個とを配置している。従って、永久磁石６Ａ，６Ｂの磁気吸引力だけでなく、電磁石７Ａ，７Ｂの強力な磁気吸引力を利用して、閉塞時において扉体１を閉塞側（図２参照）に吸引させることができるようにしている。
【００１１】
前記電磁石７Ａ，７Ｂに通電して磁気吸引力を発生させる作動状態と、電磁石７Ａ，７Ｂへの通電を遮断する遮断状態とに切り替えるための切替手段Ｘを設けてあり、この切替手段Ｘは、前記内側板部５から先端部８Ａが容器本体２側に突出した状態と内側板部５内に退避した状態とに出退自在に設けた棒状体８と、この棒状体８を突出状態に引っ張り付勢するための付勢手段としてのコイルスプリング９と、前記電磁石７Ａ又は７Ｂに対する電源回路１０（図４参照）をＯＮ−ＯＦＦするべく、前記棒状体８に取り付けた接点１１Ａ，１１Ｂと、前記棒状体８の基端部から延出して外側板部４Ａを貫通して外部に突出した軸部１２と、この軸部１２の先端に取り付けた把手１３とから構成している。
【００１２】
従って、図１に示すように、扉体１が閉塞状態にある場合には、棒状体８が内側板部５内に退避した状態にあることから、接点１１Ａ，１１Ｂが電源回路１０の接点１４，１５に接触しない状態にあり、電源回路１０が開放状態であり、永久磁石６Ａ，６Ｂのみの小さな磁気吸引力により扉体１を閉塞状態に固定するようにしている。この状態において、図２に示すように、把手１３と扉体１との隙間に指を突っ込んで把手１３を握り、この状態から扉体１を永久磁石６Ａ，６Ｂの小さな磁気吸引力に抗して開放操作する。この開放状態の扉体１を閉塞する場合には、前記把手１３から手を離し、扉体１を押すことによって、閉塞していく。このとき、棒状体８の先端部８Ａがコイルスプリング９の付勢力により内側板部５から容器本体２側に突出した状態となり、接点１１Ａ，１１Ｂが電源回路１０の接点１４，１５に接触した状態（図３参照）となり、電源回路１０を閉じて電磁石７Ａ，７Ｂを通電し、永久磁石６Ａ，６Ｂの磁気吸引力の他、電磁石７Ａ，７Ｂの強力な磁気吸引力を利用して、閉塞近傍位置、具体的には容器本体２から約１０ｍｍ離れた位置から扉体１を閉塞状態側へ吸引力により移動させるようにしている。そして、扉体１が閉塞直前位置、具体的には図３に示すように容器本体２から約５ｍｍ離れた距離Ｔに位置した状態から更に容器本体２側に移動すると、棒状体８の先端部８Ａが容器本体２との接当により内側板部５内に退避側へ操作され、接点１１Ａ，１１Ｂが電源回路１０の接点１４，１５に接触しない状態に切り替えられ、電源回路１０が開放状態になり、永久磁石６Ａ，６Ｂのみの小さな磁気吸引力により扉体１を閉塞状態に移動させ、閉塞状態を維持するのである。前記閉塞近傍位置及び閉塞直前位置を容器本体２から約１０ｍｍ離れた位置と約５ｍｍ離れた位置とに設定したが、これ以外の範囲に設定してもよい。又、本発明では、扉体１を揺動開閉型に構成したが、スライド型でもよい。前記扉体１を開放状態に操作するために把手１３を握っている間は、電源回路１０が開放状態になり、その間の不必要な電力消費を押さえることができる利点がある。
【００１３】
前記電源回路１０は、図４に示すように、電磁石７Ａ又は７Ｂに対する交流電源１６と、この交流電源１６を直流に変換する変換器１７と、交流電源１６に対するスイッチング用の前記接点１４，１５とから構成している。図に示すＤは、整流用のダイオードである。
【００１４】
前記永久磁石６Ａ，６Ｂ及び電磁石７Ａ，７Ｂを、図６及び図７に示すように構成してもよい。つまり、図７では、永久磁石６Ａと対向する位置にこの永久磁石６Ａの極とは異なる極を有する電磁石７Ａを設けた場合を示し、図７では、永久磁石６Ａと電磁石７Ａとを対向する位置には配置せず、上下方向で互い違いとなる千鳥配置にしている。
【００１５】
前記実施例では、扉体１に設けた把手１３に棒状体８を連動させた場合を示したが、図８及び図９に示すように、内部点灯用点灯ランプ１８（図１０参照）を点灯制御するためのスイッチ１９を兼用して、前記切替手段Ｘを構成するようにしてもよい。詳述すれば、棒状のスイッチ１９を前述同様に、内側板部５から先端部１９Ａが容器本体２側に突出した状態と内側板部５内に退避した状態とに出退自在に設け、このスイッチ１９を突出状態に付勢するための付勢手段としてのコイルスプリング２０と、前記電磁石７Ａ又は７Ｂに対する前記電源回路１０（図１０参照）をＯＮ−ＯＦＦするべく、前記スイッチ１９に取り付けた接点２１Ａ，２１Ｂとから構成している。そして、図９に示すように、扉体１を閉塞した状態では、接点２１Ａ，２１Ｂと電源回路１０の接点１４，１５とが接触していない状態にあり、永久磁石６Ａ，６Ｂのみの小さな磁気吸引力により扉体１を閉塞状態に固定すると同時に、内部照明用点灯ランプ１８を消灯状態にしている。この状態から、扉体１を把手２２を持って永久磁石６Ａ，６Ｂの小さな磁気吸引力に抗して開放操作する。この開放操作に伴い、扉体１が容器本体２から設定距離（５ｍｍ）離れることにより、スイッチ１９がコイルスプリング２０の付勢力により突出状態になり、内部照明用点灯ランプ１８を点灯させると同時に、電磁石７Ａ又は７Ｂを通電して永久磁石６Ａ，６Ｂの磁気吸引力に加えて電磁石７Ａ又は７Ｂによる強力な磁気吸引力を作用させる。開放された扉体１を閉塞操作すると、前記容器本体２から設定距離（５ｍｍ）まで近付くと、前記スイッチ１９が容器本体２に接当して退避側に移動され、ここから永久磁石６Ａ，６Ｂのみの磁気吸引力により扉体１を閉塞状態に移動させて固定するのである。
【００１６】
【発明の効果】
請求項１によれば、扉体の閉塞近傍位置では永久磁石だけでなく、電磁石の強力な磁気吸引力を利用することができるから、半ドア状態になることを確実に阻止することができ、しかも扉体の閉塞直前位置では、永久磁石のみの小さな磁気吸引力で閉塞することで扉体の閉塞時における容器本体との衝撃力を緩和することができ、扉体や扉体に取り付けているゴム製パッキン等を損傷することなく、長期間に渡って良好に使用することができる扉体の開閉構造を得ることができる。しかも、設定位置まで移動するまでは、永久磁石のみの磁気吸引力に抗する小さな操作力で扉体を開放操作することができる。
【００１７】
請求項２によれば、把手に電磁石のスイッチを連動させることによって、把手を握っている限り、電磁石のスイッチが入ることがないから、電磁石が消費する電力量を軽減することができる利点がある。
【００１８】
請求項３によれば、内部照明用ランプを点灯制御するスイッチと電磁石の作動状態を切り替えるための切替手段とを兼用することによって、構成の簡素化を図ることができ、コスト面においても有利になる。
【図面の簡単な説明】
【図１】扉体を閉じた状態の冷蔵庫の一部省略した縦断側面図
【図２】扉体を少し開いた状態の冷蔵庫の一部省略した縦断側面図
【図３】扉体を閉じる直前の状態の冷蔵庫の一部省略した縦断側面図
【図４】電磁石に対する駆動回路図
【図５】永久磁石及び電磁石の配置を示す要部の断面図
【図６】永久磁石及び電磁石の配置の別の形態を示す要部の断面図
【図７】永久磁石及び電磁石の配置の別の形態を示す要部の断面図
【図８】別の形態の冷蔵庫を示し、扉体を少し開いた状態の冷蔵庫の一部省略した縦断側面図
【図９】別の形態の冷蔵庫を示し、扉体を閉じた状態の冷蔵庫の一部省略した縦断側面図
【図１０】内部照明用ランプ及び電磁石に対する駆動回路図
【符号の説明】
１  扉体                            ２  容器本体
３  パッキン                        ４  箱形部材
4A  外側板部                        4B  側板部
５  内側板部                        6A,6B 永久磁石
7A,7B 電磁石                        ８  棒状体
8A  先端部                          ９  コイルスプリング（付勢手段）
10  電源回路                        11A,11B   接点
12  軸部                            13  把手
14,15 接点                          16  交流電源
17  変換器                          18  点灯ランプ
19  スイッチ                        20  コイルスプリング
21A,21B 接点                        22  把手
Ｄ  ダイオード                      Ｘ  切替手段
【図１】
0003910712.tif 000002
【図２】
0003910712.tif 000003
【図３】
0003910712.tif 000004
【図４】
0003910712.tif 000005
【図５】
0003910712.tif 000006
【図６】
0003910712.tif 000007
【図７】
0003910712.tif 000008
【図８】
0003910712.tif 000009
【図９】
0003910712.tif 000010
【図１０】
0003910712.tif 000011